(57)【要約】【課題】簡単な構造で高い信頼性を有する流体噴射装置を提供する。【解決手段】流体噴射装置１は、容積が変更可能な流体室５０１と、流体室５０１に連通する入口流路５０３及び出口流路５１１と、を備える脈動発生部１００と、出口流路５１１に一方の端部が連通され、他方の端部が出口流路５１１の直径よりも縮小された流体噴射開口部２１２が設けられた接続流路２０１と、接続流路２０１が穿設され、前記流体室から流動される流体の脈動を流体噴射開口部２１２に伝達し得る剛性を有する接続流路管２００と、入口流路５０３に流体を供給するポンプ２０と、が備えられている。そして、入口流路５０３のイナータンスが、出口流路５１１のイナータンスよりも大きく設定されている。また、入口流路５０３が、流体室５０１内に旋回流を発生する旋回流発生部を構成する。【選択図】図２
2008082202.tif 000002
【特許請求の範囲】
【請求項１】
容積が変更可能な流体室と、前記流体室に連通する入口流路及び出口流路と、を備える脈動発生部と、
前記出口流路に一方の端部が連通され、他方の端部が前記出口流路の直径よりも縮小された流体噴射開口部が設けられた接続流路と、
前記接続流路が穿設され、前記流体室から流動される流体の脈動を前記流体噴射開口部に伝達し得る剛性を有する接続流路管と、
前記入口流路に流体を供給する圧力発生部と、
が備えられていることを特徴とする流体噴射装置。
【請求項２】
請求項１に記載の流体噴射装置において、
前記入口流路のイナータンスが、前記出口流路のイナータンスよりも大きく設定されていることを特徴とする流体噴射装置。
【請求項３】
請求項１または請求項２に記載の流体噴射装置において、
前記脈動発生部が、前記流体室の容積変更手段を備え、
前記容積変更手段が前記流体室に対して伸張または収縮する圧電素子と、ダイアフラムと、を備えていることを特徴とする流体噴射装置。
【請求項４】
請求項１ないし請求項３のいずれか一項に記載の流体噴射装置において、
前記流体室が略回転体形状であって、内周側壁と前記内周側壁の一方の端部を封止する封止面と他方の端部を封止する前記ダイアフラムからなり、
前記略回転体形状の軸を中心とする流体の旋回流を発生する旋回流発生部をさらに備え、
前記出口流路が、前記略回転体形状の軸の近傍に設けられていることを特徴とする流体噴射装置。
【請求項５】
請求項４に記載の流体噴射装置において、
前記旋回流発生部が、前記流体室の内周側壁に対して略接線方向に連通する前記入口流路により形成されていることを特徴とする流体噴射装置。
【請求項６】
請求項４または請求項５に記載の流体噴射装置において、
前記流体室の外周縁部に、前記入口流路が形成されていることを特徴とする流体噴射装置。
【請求項７】
請求項４または請求項５に記載の流体噴射装置において、
前記旋回流発生部が、前記入口流路と流体室の内周側壁とを含む旋回流発生板にて形成されていることを特徴とする流体噴射装置。
【請求項８】
請求項４、請求項５または請求項７のいずれか一項に記載の流体噴射装置において、
前記旋回流発生板と前記ダイアフラムとが、積層され一体に密接固着されていることを特徴とする流体噴射装置。
【請求項９】
請求項４ないし請求項７のいずれか一項に記載の流体噴射装置において、
前記入口流路が形成される封止面または前記旋回流発生板と前記ダイアフラムとの間に、前記流体室の直径と略等しい開口部を有する補強板が備えられていることを特徴とする流体噴射装置。
【請求項１０】
請求項７または請求項９に記載の流体噴射装置において、
前記旋回流発板と前記補強板とが、積層され一体に密接固着されていることを特徴とする流体噴射装置。
【請求項１１】
請求項９に記載の流体噴射装置において、
前記ダイアフラムと前記補強板とが、積層され一体に固着されていることを特徴とする流体噴射装置。
【請求項１２】
請求項１ないし請求項１１のいずれか一項に記載の流体噴射装置において、
前記圧力発生部から入口流路に流体を供給する入口側の接続流路と前記入口流路との接続部に、流体を滞留する流体溜りを設けていることを特徴とする流体噴射装置。
【請求項１３】
請求項１ないし請求項５のいずれか一項に記載の流体噴射装置において、
前記入口流路が、前記流体室と前記脈動発生部の外部とを貫通する管状部材から形成されていることを特徴とする流体噴射装置。
【請求項１４】
請求項１ないし請求項１３のいずれか一項に記載の流体噴射装置において、
前記ダイアフラムの外周方向に離間した位置にリング状のパッキンがさらに備えられていることを特徴とする流体噴射装置。
【発明の詳細な説明】
【技術分野】
【０００１】
本発明は、流体噴射装置に関する。詳しくは、簡単な構造で、安定して強い脈動で流体を噴射する流体噴射装置に関する。
【背景技術】
【０００２】
従来、生体組織を切開または切除する流体噴射装置として、ポンプ室の容積を変更して流体の吐出動作を行うマイクロポンプと、マイクロポンプの出口流路に一方の端部が接続され、他方の端部が出口流路の直径よりも縮小された開口部（ノズル）が設けられた接続流路と、接続流路が穿設されマイクロポンプから流動される流体の脈動を前記開口部に伝達し得る剛性を有する接続管と、が備えられ、流体は脈動波群と休止部との繰り返しで流動され、高速で開口部から噴射される流体噴射装置というものが知られている（例えば、特許文献１）。
【０００３】
また、上述のように構成されるマイクロポンプの出口流路側にポンプ呼び水装置としてのピストンポンプを配設し、流体がマイクロポンプ内に入っていない起動時に呼び水動作を行い、また起動後においては、ポンプ室内の気体を圧縮して排除するマイクロポンプというものが知られている（例えば、特許文献２参照）。
【０００４】
【特許文献１】特開２００５−１５２１２７号公報（第７，８頁、図１）
【特許文献２】特開２００５−３０７７４３号公報（第４，５頁、図２）
【発明の開示】
【発明が解決しようとする課題】
【０００５】
本発明者らが出願した特許文献１によれば、脈動する流体を高速で噴射することが可能であり、その制御も容易である。また、脈動する流体の噴射は手術等において組織の切開能力が高い一方、流体量が少なくてすむため、術野に流体が滞留することが少ない。従って、視認性が向上し、組織の飛散を防ぐ効果があった。
【０００６】
このマイクロポンプは、その駆動の特性から起動時にはポンプ室内の呼び水動作と気泡の排除を必要とし、上述した特許文献２に示すようなポンプ呼び水装置を設置する構造が提案された。しかしながら、ポンプ呼び水装置を設置しても、起動後においては呼び水装置は離脱されるため、ポンプ室内に気泡が発生すると駆動動作が不安定になることが予測される。
【０００７】
また、特許文献１及び特許文献２によるマイクロポンプは、入口流路側のイナータンスよりも出口流路側のイナータンスを大きく設定しているため、入口流路側には流体の逆流を防ぐための逆止弁を設けている。この逆止弁は非常に小型なものであり、洗浄性が悪く、また逆止弁の繰り返し使用や長期間の使用に対して必ずしも十分な性能を維持でないことが考えられる。
【０００８】
本発明の目的は、上述した課題を解決することを要旨とし、呼び水装置を必要とせず、駆動中に気泡が滞留することによる性能低下を排除し、簡単な構造で高い信頼性を有する流体噴射装置を提供することである。
【課題を解決するための手段】
【０００９】
本発明の流体噴射装置は、容積が変更可能な流体室と、前記流体室に連通する入口流路及び出口流路と、を備える脈動発生部と、前記出口流路に一方の端部が連通され、他方の端部が前記出口流路の直径よりも縮小された流体噴射開口部が設けられた接続流路と、前記接続流路が穿設され、前記流体室から流動される流体の脈動を前記流体噴射開口部に伝達し得る剛性を有する接続流路管と、前記入口流路に流体を供給する圧力発生部と、が備えられていることを特徴とする。
ここで、圧力発生部としては、例えば、一定圧力で流体を吐出するポンプを採用することができる。
【００１０】
この発明によれば、圧力発生部により一定圧力で入口流路に流体を供給するため、脈動発生部の駆動を停止した状態においても入口流路及び流体室に流体を供給するため、呼び水動作を必要とせず、初期動作を開始することができる。
【００１１】
また、出口流路の直径よりも縮小された流体噴射開口部から流体を噴出するため、高速の流体噴射を可能にする。
【００１２】
さらに、接続流路管が、流体室から流動される流体の脈動を前記開口部に伝達し得る剛性を有しているので、脈動発生部からの流体の圧力伝播を妨げず、所望の脈動流を噴射することができるという効果を有する。
【００１３】
また、前記入口流路のイナータンスが、前記出口流路のイナータンスよりも大きく設定されていることが好ましい。
【００１４】
このようにすれば、脈動発生部を駆動することで、入口流路から流体室への流体の流入量よりも大きい脈動流が出口流路に発生し、接続流路管内にパルス状の流体吐出を行うことができる。従って、前述した特許文献１のように入口流路側に逆止弁を設けなくてもよく、脈動発生部の構造を簡素化できるとともに、内部の洗浄が容易になる他、逆止弁を用いることに起因する耐久性の不安を排除することができるという効果がある。
【００１５】
なお、入口流路及び出口流路双方のイナータンスを十分大きく設定し、流体室の容積を急激に縮小すれば、流体室内の圧力が急激に上昇する。このことにより、出口流路により大きな脈動流を発生できる。
【００１６】
また、前記脈動発生部が、前記流体室の容積変更手段を備え、前記容積変更手段が前記流体室に対して伸張または収縮する圧電素子と、ダイアフラムと、を備えていることが好ましい。
【００１７】
容積変更手段として圧電素子を採用すれば、構造の簡素化とそれに伴う小型化を実現できる。また、流体室の容積変化の最大周波数を１ＫＨｚ以上の高い周波数にすることができ、高速かつ短い繰り返し周期での脈動流の噴射に最適である。
【００１８】
また、前記流体室が略回転体形状であって、内周側壁と前記内周側壁の一方の端部を封止する封止面と他方の端部を封止する前記ダイアフラムからなり、前記略回転体形状の軸を中心とする流体の旋回流を発生する旋回流発生部をさらに備え、前記出口流路が、前記略回転体形状の軸の近傍に設けられていることが好ましい。
ここで、回転体形状とは、例えば、円柱形状、円錐形状や半球形状等を選択できる。
【００１９】
旋回流発生部により流体室内の流体に旋回流を発生させることで、流体を遠心力により流体室の外周方向に押しやり、旋回流の中心部、つまり、略回転体形状の軸近傍に流体に含まれる気泡が集中し、略回転体形状の軸の近傍に設けられる出口流路から気泡を排除することができる。このことから、流体室内に気泡が存在することによる圧力振幅の低下を防止することができ、脈動発生部の安定した駆動を継続することができる。
【００２０】
また、前記旋回流発生部が、前記流体室の内周側壁に対して略接線方向に連通する前記入口流路により形成されていることが好ましい。
【００２１】
このように、旋回流発生部を入口流路により形成していることから、専用の旋回流発生部を用いることなく旋回流を発生させることができる。
なお、流体室の内周側壁とは、略回転体形状の外周に相当する。
【００２２】
また、前記流体室の外周縁部に、前記入口流路が形成されていることが望ましい。
【００２３】
このような入口流路を形成する形態としては、例えば、流体室の外周縁部に入口流路としての溝等を形成することで実現できる。従って、部品数を増やすことなく旋回流発生部としての入口流路を形成することができる。
【００２４】
また、前記旋回流発生部が、前記入口流路と流体室の内周側壁とを含む旋回流発生板にて形成されていることが好ましい。
【００２５】
このように旋回流発生部を旋回流発生板にて形成することにより、入口流路と内周側壁とをプレス加工、エッチング加工等で容易に形成することができる。
【００２６】
さらに、入口流路の断面積と流路長を有する複数種類の旋回流発生板を用意しておけば、所望の入口流路側のイナータンスを選択的に設定することができるという効果がある。
【００２７】
また、前記旋回流発生板と前記ダイアフラムとが、積層され一体に密接固着されていることが望ましい。
【００２８】
旋回流発生板は薄板にて形成され、入口流路と流体室の内周側壁を有する開口部とが設けられている。そのために、流体室内の高圧付加に対して構造的強度が不十分になることが考えられるが、ダイアフラムと一体化することにより十分な構造的強度を得ることができる。また、組立時において取り扱いが容易になる利点もある。
【００２９】
また、本発明では、前記入口流路が形成される封止面または前記旋回流発生板と前記ダイアフラムとの間に、前記流体室の直径と略等しい開口部を有する補強板が備えられていることを特徴とする。
【００３０】
旋回流発生板には、入口流路と流体室の内周側壁を形成する開口部とが形成される。この際、この開口部と入口流路との合流部を有し、合流部は切欠き形状となる。ダイアフラムは開口部外周が駆動の支点となるので、駆動するとき、合流部に応力集中が発生する。しかし、補強板を備えることにより、ダイアフラムは補強板の開口部外周を支点とするため、応力集中は発生しにくくダイアフラムの耐久性を向上させることができる。
【００３１】
また、前記旋回流発生板と前記補強板とが、積層され一体に密接固着されていることが望ましい。
【００３２】
このようにすることで、旋回流発生板を補強できるとともに、組立時において取り扱いが容易になる。
【００３３】
また、前記ダイアフラムと前記補強板とが、積層され一体に固着されていることが望ましい。
このようにすれば、旋回流発生板を間接的に補強できるとともに、組立時において取り扱いが容易になる。
【００３４】
また、前記圧力発生部から入口流路に流体を供給する入口側の接続流路と前記入口流路との接続部に、流体を滞留する流体溜りを設けていることが望ましい。
【００３５】
入口側の接続流路と入口流路との接続部においては、流体の流動方向の変化、流路の断面積の変化があり、入口側の接続流路の特性が入口流路の特性に影響を与えることが考えられる。そこで、この接続部に流体溜りを設けることにより、入口側の接続流路における速度ヘッドが極小になるので、入口側の接続流路による入口流路への影響を抑制することができる。
【００３６】
また、前記入口流路が、前記流体室と前記脈動発生部の外部とを貫通する管状部材から形成されていることが好ましい。
【００３７】
入口流路を管状部材で形成すれば、流路の断面形状を円形にすることができ、流路内の抵抗要素を減ずることができる。
また、管状部材の内径、長さの設定が容易で、入口流路側のイナータンスの設定にあわせて入口流路の断面積や流路長の設定がし易いという効果がある。
【００３８】
また、前記ダイアフラムの外周方向に離間した位置にリング状のパッキンがさらに備えられていることが望ましい。
【００３９】
ダイアフラムは、流体室の一方を封止する部材でもある。前述したように流体室内は高圧となるので、ダイアフラムの接合部において流体が漏洩することが考えられる。流体室から流体の漏洩があると所定の圧力に上昇しない。そこで、パッキンを設けることにより、流体の漏洩を防止することができ、流体室内の圧力上昇を妨げない。
【発明を実施するための最良の形態】
【００４０】
以下、本発明の実施の形態を図面を参照して説明する。
図１〜図３は実施形態１に係る流体噴射装置及び脈動発生部を示し、図４，５は実施形態２、図６，７は実施形態３、図８，９は実施形態４、図１０，１１は実施形態５に係る脈動発生部を示している。
【００４１】
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。また、以下の説明で参照する図は、図示の便宜上、部材ないし部分の縦横の縮尺は実際のものとは異なる模式図である。
【００４２】
また、本発明による流体噴射装置は、インク等を用いた描画、細密な物体及び構造物の洗浄、手術用メス等様々に採用可能であるが、以下に説明する実施の形態では、生体組織を切開または切除することに好適な流体噴射装置を例示して説明する。従って、実施の形態にて用いる流体は、水または生理食塩水である。
（実施形態１）
【００４３】
図１は、本発明の実施形態１に係る流体噴射装置の概略構成を示す説明図である。図１において、流体噴射装置１は、基本構成として流体を収容する流体容器１０と、圧力発生部としてのポンプ２０と、ポンプ２０から供給される流体を脈動流動する脈動発生部１００と、から構成されている。
【００４４】
脈動発生部１００には、細いパイプ状の接続流路管２００が接続され、接続流路管２００の先端部には流路が縮小されたノズル２１１が挿着されている。
【００４５】
この流体噴射装置１における流体の流動を簡単に説明する。流体容器１０に収容された流体は、接続チューブ１５を介してポンプ２０によって吸引され、一定の圧力で接続チューブ２５を介して脈動発生部１００に供給する。脈動発生部１００には流体室５０１（図２、参照）と、この流体室５０１の容積変更手段とを備えており、容積変更手段を駆動して脈動を発生して、接続流路管２００、ノズル２１１を通して流体を高速で噴射する。脈動発生部１００の詳しい説明については、図２、図３を参照して後述する。
【００４６】
なお、圧力発生部としてはポンプ２０に限らず、輸液バッグをスタンド等によって脈動発生部１００よりも高い位置に保持するようにしてもよい。従って、ポンプ２０は不要となり、構成を簡素化することができる他、消毒等が容易になる利点がある。
【００４７】
ポンプ２０の吐出圧力は概ね０．３気圧（０．０３ＭＰａ）以下に設定する。また、輸液バッグを用いる場合には、脈動発生部１００と輸液バッグの液上面との高度差が圧力となる。輸液バックを用いるときには０．１〜０．１５気圧（０．０１〜０．１５ＭＰａ）程度になるように高度差を設定することが望ましい。
【００４８】
なお、この流体噴射装置１を用いて手術をする際には、術者が把持する部位は脈動発生部１００である。従って、脈動発生部１００までの接続チューブ２５はできるだけ柔軟であることが好ましい。そのためには、柔軟で薄いチューブで、流体を脈動発生部１００に送液可能な範囲で低圧にすることが好ましい。
【００４９】
また、特に、脳手術のときのように、機器の故障が重大な事故を引き起こす恐れがある場合には、接続チューブ２５の切断等において高圧な流体が噴出することは避けなければならず、このことからも低圧にしておくことが要求される。
【００５０】
次に、本実施形態による脈動発生部１００の構造について説明する。
図２は、本実施形態に係る脈動発生部１００の構造を示す断面図である。図２において、脈動発生部１００には、流体の脈動を発生する脈動発生手段を含み、流体を吐出する流路としての接続流路２０１を有する接続流路管２００が接続されている。
【００５１】
脈動発生部１００は、上ケース５００と下ケース３０１とをそれぞれ対向する面において接合され、４本の固定螺子６００（図示は省略）によって螺着されている。下ケース３０１は、鍔部を有する筒状部材であって、一方の端部は底板３１１で密閉されている。この下ケース３０１の内部空間に圧電素子４０１が配設される。
【００５２】
圧電素子４０１は、積層型圧電素子であってアクチュエータを構成する。圧電素子４０１の一方の端部は上板４１１を介してダイアフラム４００に、他方の端部は底板３１１の上面３１２に固着されている。
【００５３】
また、ダイアフラム４００は、円盤状の金属薄板からなり、下ケース３０１の凹部３０３内において周縁部が凹部３０３の底面に密着固着されている。容積変更手段としての圧電素子４０１に駆動信号を入力することで、圧電素子４０１の伸張、収縮に伴いダイアフラム４００を介して流体室５０１の容積を変更する。
ダイアフラム４００の上面には、中心部に開口部を有する円盤状の金属薄板からなる補強板４１０が積層配設される。
【００５４】
上ケース５００は、下ケース３０１と対向する面の中心部に凹部が形成され、この凹部とダイアフラム４００とから構成され流体が充填された状態の回転体形状が流体室５０１である。つまり、流体室５０１は、上ケース５００の凹部の封止面５０５と内周側壁５０１ａとダイアフラム４００によって囲まれた空間である。流体室５０１の略中央部には出口流路５１１が穿設されている。
【００５５】
出口流路５１１は、流体室５０１から上ケース５００の一方の端面から突設された出口流路管５１０の端部まで貫通されている。出口流路５１１の流体室５０１の封止面５０５との接続部は、流体抵抗を減ずるために滑らかに丸められている。
【００５６】
なお、以上説明した流体室５０１の形状は、本実施形態（図２、参照）では、両端が封止された略円筒形状としているが、側面視して円錐形や台形、あるいは半球形状等でもよく限定されない。例えば、出口流路５１１と封止面５０５との接続部を漏斗のような形状にすれば、後述する流体室５０１内の気泡を排出しやすくなる。
【００５７】
出口流路管５１０には接続流路管２００が接続されている。接続流路管２００には接続流路２０１が穿設されており、接続流路２０１の直径は出口流路５１１の直径より大きい。また、接続流路管２００の管部の厚さは、流体の圧力脈動を吸収しない剛性を有する範囲に形成されている。
【００５８】
接続流路管２００の先端部には、ノズル２１１が挿着されている。このノズル２１１には流体噴射開口部２１２が穿設されている。流体噴射開口部２１２の直径は、接続流路２０１の直径より小さい。
【００５９】
上ケース５００の側面には、ポンプ２０から流体を供給する接続チューブ２５を挿着する入口流路管５０２が突設されており、入口流路管５０２に入口流路側の接続流路５０４が穿たれている。接続流路５０４は入口流路５０３に連通されている。入口流路５０３は、流体室５０１の封止面５０５の周縁部に溝状に形成され、流体室５０１に連通している。
【００６０】
上ケース５００と下ケース３０１との接合面において、ダイアフラム４００の外周方向の離間した位置には、下ケース３０１側にパッキンボックス３０４、上ケース５００側にパッキンボックス５０６が形成されており、パッキンボックス３０４，５０６にて形成される空間にリング状のパッキン４５０が装着されている。
【００６１】
ここで、上ケース５００と下ケース３０１とを組立てたとき、ダイアフラム４００の周縁部と補強板４１０の周縁部とは、上ケース５００の封止面５０５の周縁部と下ケース３０１の凹部３０３の底面によって密接されている。この際、パッキン４５０は上ケース５００と下ケース３０１によって押し圧されて、流体室５０１からの流体漏洩を防止している。
【００６２】
流体室５０１内は、流体吐出の際に３０気圧（３ＭＰａ）以上の高圧状態となり、ダイアフラム４００、補強板４１０、上ケース５００、下ケース３０１それぞれの接合部において流体が僅かに漏洩することが考えられるが、パッキン４５０によって漏洩を阻止している。
【００６３】
図２に示すようにパッキン４５０を配設すると、流体室５０１から高圧で漏洩してくる流体の圧力によってパッキン４５０が圧縮され、パッキンボックス３０４，５０６内の壁にさらに強く押し圧するので、流体の漏洩を一層確実に阻止することができる。このことから、駆動時において流体室５０１内の高い圧力上昇を維持することができる。
【００６４】
続いて、上ケース５００に形成される入口流路５０３について図面を参照してさらに詳しく説明する。
図３は、入口流路５０３の形態を示す平面図であり、上ケース５００を下ケース３０１との接合面側から視認した状態を表している。
図３において、入口流路５０３は、上ケース５００の封止面５０５の周縁部溝状に形成されている。
【００６５】
入口流路５０３は、一方の端部が流体室５０１に連通し、他方の端部が接続流路５０４に連通している。入口流路５０３と接続流路５０４との接続部には、流体溜り５０７が形成されている。そして、流体溜り５０７と入口流路５０３との接続部は滑らかに丸めることによって流体抵抗を減じている。
【００６６】
また、入口流路５０３は、流体室５０１の内周側壁５０１ａに対して略接線方向に向かって連通している。ポンプ２０（図１、参照）から一定の圧力で供給される流体は、内周側壁５０１ａに沿って（図中、矢印で示す方向）流動して流体室５０１に旋回流を発生する。旋回流は、旋回することによる遠心力で内周側壁５０１ａ側に押し付けられるとともに、流体室５０１内に含まれる気泡は旋回流の中心部に集中する。
【００６７】
そして、中心部に集められた気泡は、出口流路５１１から排除される。このことから、出口流路５１１は旋回流の中心近傍、つまり回転形状体の軸中心部に設けられることがより好ましい。従って、本実施形態において、入口流路５０３は旋回流発生部である。図３では、入口流路５０３は平面形状が湾曲されている。入口流路５０３は、直線で流体室５０１に連通させてもよいが、狭いスペースの中で所望のイナータンスを得るために、入口流路５０３の流路長を長くする必要性から湾曲させている。
【００６８】
なお、図２に示したように、ダイアフラム４００と入口流路５０３が形成されている封止面５０５の周縁部との間には、補強板４１０が配設されている。補強板４１０を設ける意味は、ダイアフラム４００の耐久性を向上することである。入口流路５０３の流体室５０１との接続部には切欠き状の接続開口部５０９が形成されるので、ダイアフラム４００が高い周波数で駆動されたときに、接続開口部５０９近傍において応力集中が生じて疲労破壊を発生することが考えられる。そこで、切欠き部がない連続した開口部を有している補強板４１０を配設することで、ダイアフラム４００に応力集中が発生しないようにしている。
【００６９】
また、上ケース５００の外周隅部には、４箇所の螺子孔５００ａが開設されており、この螺子孔位置において、上ケース５００と下ケース３０１とが螺合接合される。
【００７０】
なお、図示は省略するが、補強板４１０とダイアフラム４００とを接合し、一体に積層固着することができる。固着手段としては、接着剤を用いる貼着としても、固層拡散接合、溶接等を採用することが可能であるが、補強板４１０とダイアフラム４００とが、接合面において密着されていることがより好ましい。
【００７１】
次に、本実施形態における動作について図１〜図３を参照して説明する。本実施形態の脈動発生部１００の流体吐出は、入口流路側のイナータンスＬ１（合成イナータンスＬ１と呼ぶことがある）と出口流路側のイナータンスＬ２(合成イナータンスＬ２と呼ぶことがある）の差によって行われる。
【００７２】
まず、イナータンスについて説明する。
イナータンスＬは、流体の密度をρ、流路の断面積をＳ、流路の長さをｈとしたとき、Ｌ＝ρ×ｈ／Ｓで表される。流路の圧力差をΔＰ、流路を流れる流体の流量をＱとした場合に、イナータンスＬを用いて流路内の運動方程式を変形することで、ΔＰ＝Ｌ×ｄＱ／ｄｔという関係が導き出される。
【００７３】
つまり、イナータンスＬは、流量の時間変化に与える影響度合いを示しており、イナータンスＬが大きいほど流量の時間変化が少なく、イナータンスＬが小さいほど流量の時間変化が大きくなる。
【００７４】
また、複数の流路の並列接続や、複数の形状が異なる流路の直列接続に関する合成イナータンスは、個々の流路のイナータンスを電気回路におけるインダクタンスの並列接続、または直列接続と同様に合成して算出することができる。
【００７５】
なお、入口流路側のイナータンスＬ１は、接続流路５０４が入口流路５０３に対して直径が十分大きく設定されているので、イナータンスＬ１は、入口流路５０３の範囲において算出される。この際、ポンプ２０と入口流路を接続する接続チューブは柔軟性を有するため、イナータンスＬ１の算出から削除してもよい。
【００７６】
また、出口流路側のイナータンスＬ２は、接続流路２０１の直径が出口流路よりもはるかに大きく、接続流路管２００の管部（管壁）の厚さが薄いためイナータンスＬ２への影響は軽微である。従って、出口流路側のイナータンスＬ２は出口流路５１１のイナータンスに置き換えてもよい。
なお、接続流路管２００の管壁の厚さは、流体の圧力伝播には十分な剛性を有している。
【００７７】
そして、本実施形態では、入口流路側のイナータンスＬ１が出口流路側のイナータンスＬ２よりも大きくなるように、入口流路５０３の流路長及び断面積、出口流路５１１の流路長及び断面積を設定する。
【００７８】
次に、脈動発生部１００の動作について説明する。
ポンプ２０によって入口流路５０３には、常に一定圧力の液圧で流体が供給されている。その結果、圧電素子４０１が動作を行わない場合、ポンプ２０の吐出力と入口流路側全体の流体抵抗値の差によって流体は流体室５０１内に流動する。
【００７９】
ここで、圧電素子４０１に駆動信号が入力され、急激に圧電素子４０１が伸張したとすると、流体室５０１内の圧力は、入口流路側及び出口流路側のイナータンスＬ１，Ｌ２が十分な大きさを有していれば急速に上昇して数十気圧に達する。
【００８０】
この圧力は、入口流路５０３に加えられていたポンプ２０による圧力よりはるかに大きいため、入口流路側から流体室５０１内への流体の流入はその圧力によって減少し、出口流路５１１からの流出は増加する。従って、前述した特許文献１による流体噴射装置のような、入口流路側に設けられる逆止弁は必要ない。
【００８１】
しかし、入口流路５０３のイナータンスＬ１は、出口流路５１１のイナータンスＬ２よりも大きいため、入口流路５０３から流体が流体室５０１へ流入する流量の減少量よりも、出口流路から吐出される流体の増加量のほうが大きいため、接続流路２０１にパルス状の流体吐出、つまり、脈動流が発生する。この吐出の際の圧力変動が、接続流路管２００内を伝播して、先端のノズル２１１の流体噴射開口部２１２から流体が噴射される。
【００８２】
ここで、ノズル２１１の流体噴射開口部２１２の直径は、出口流路５１１の直径よりも小さいので、流体は、さらに高圧、高速のパルス状の液滴として噴射される。
【００８３】
一方、流体室５０１内は、入口流路５０３からの流体流入量の減少と出口流路５１１からの流体流出の増加との相互作用で、圧力上昇直後に真空状態となる。その結果、ポンプ２０の圧力と、流体室５０１内の真空状態の双方によって一定時間経過後、入口流路５０３の流体は圧電素子４０１の動作前と同様な速度で流体室５０１内に向かう流れが復帰する。
【００８４】
入口流路５０３内の流体の流動が復帰した後、圧電素子４０１の伸張があれば、ノズル２１１からの脈動流を継続して噴射することができる。
【００８５】
続いて、流体室５０１内の気泡の排除動作について説明する。
上述した脈動発生部１００の動作において、流体室５０１が、略回転体形状を有し旋回流発生部としての入口流路５０３を備えていることと、出口流路５１１が略回転体形状の回転軸近傍に開設されていることから、流体室５０１内において旋回流が発生し、流体内に含まれる気泡は速やかに出口流路５１１から外部に排出される。
【００８６】
従って、圧電素子４０１による流体室５０１の微小な容積変化においても、気泡によって圧力変動が阻害されることなく、十分な圧力上昇が得られる。
【００８７】
従って、前述した実施形態１によれば、ポンプ２０により一定圧力で入口流路５０３に流体を供給するため、脈動発生部１００の駆動を停止した状態においても入口流路５０３及び流体室５０１に流体を供給するため、呼び水動作をしなくても初期動作を開始することができる。
【００８８】
また、出口流路５１１の直径よりも縮小された流体噴射開口部２１２から流体を噴出するため、液圧を出口流路５１１内よりも高めることから、高速の流体噴射を可能にする。
【００８９】
さらに、接続流路管２００が、流体室５０１から流動される流体の脈動を流体噴射開口部２１２に伝達し得る剛性を有しているので、脈動発生部１００からの流体の圧力伝播を妨げず、所望の脈動流を噴射することができるという効果を有する。
【００９０】
また、入口流路５０３のイナータンスを、出口流路５１１のイナータンスよりも大きく設定していることから、入口流路５０３から流体室５０１への流体の流入量の減少よりも大きい流出量の増加が出口流路５１１に発生し、接続流路管２００内にパルス状の流体吐出を行うことができる。従って、前述した特許文献１のように入口流路５０３側に逆止弁を設けなくてもよく、脈動発生部１００の構造を簡素化できるとともに、内部の洗浄が容易になる他、逆止弁を用いることに起因する耐久性の不安を排除することができるという効果がある。
【００９１】
なお、入口流路５０３及び出口流路５１１双方のイナータンスを十分大きく設定することにより、流体室５０１の容積を急激に縮小すれば、流体室５０１内の圧力を急激に上昇させることができる。
【００９２】
また、容積変更手段として圧電素子４０１とダイアフラム４００とを採用する構造にすることにより構造の簡素化と、それに伴う小型化を実現できる。また、流体室５０１の容積変化の最大周波数を１ＫＨｚ以上の高い周波数にすることができ、高速脈動流の噴射に最適である。
【００９３】
また、旋回流発生部により流体室５０１内の流体に旋回流を発生させることで、流体を遠心力により流体室の外周方向に押しやり、旋回流の中心部、つまり、略回転体形状の軸近傍に流体に含まれる気泡が集中し、略回転体形状の軸の近傍に設けられる出口流路５１１から気泡を排除することができる。このことから、流体室５０１内に気泡が滞留することによる圧力振幅の低下を防止することができ、脈動発生部１００の安定した駆動を継続することができる。
【００９４】
さらに、旋回流発生部を入口流路５０３により形成していることから、専用の旋回流発生部を用いることなく旋回流を発生させることができる。
【００９５】
また、流体室５０１の封止面５０５の外周縁部に、溝形状の入口流路５０３を形成しているので、部品数を増やすことなく旋回流発生部としての入口流路５０３を形成することができる。
【００９６】
また、ダイアフラム４００の上面に補強板４１０を備えていることにより、ダイアフラム４００は補強板４１０の開口部外周を支点として駆動するため、応力集中が発生しにくく、ダイアフラム４００の耐久性を向上させることができる。
【００９７】
なお、補強板４１０のダイアフラム４００との接合面の角部を丸めておけば、一層、ダイアフラム４００の応力集中を緩和することができる。
【００９８】
また、補強板４１０とダイアフラム４００とを積層し、一体に固着すれば、脈動発生部１００の組立性を向上させることができる他、ダイアフラム４００の外周縁部の補強効果もある。
【００９９】
また、ポンプ２０から流体を供給する入口側の接続流路５０４と入口流路５０３との接続部に、流体を滞留する流体溜り５０７を設けているために、接続流路５０４のイナータンスが入口流路５０３に与える影響を抑制することができる。
【０１００】
さらに、上ケース５００と下ケース３０１との接合面において、ダイアフラム４００の外周方向離間した位置にリング状のパッキン４５０を備えているために、流体室５０１からの流体の漏洩を防止し、流体室５０１内の圧力低下を防止することができる。
（実施形態２）
【０１０１】
続いて、本発明の実施形態２に係る脈動発生部について図面を参照して説明する。実施形態２は、旋回流発生部として入口流路と流体室の内周側壁とを含む旋回流発生板を設けていることに特徴を有している。旋回流発生部以外は、前述した実施形態１と同じ構造であるので説明を省略し、同じ機能部位には実施形態１と同じ符号を附して説明する。
図４は旋回流発生板５５０を示す平面図、図５は旋回流発生板５５０を組み込んだ状態を示す脈動発生部１００の部分断面図である。
【０１０２】
図４において、旋回流発生板５５０は、中央部に開口部を開設しているが、この開口部の外周部が流体室５５１の内周側壁５５１ａを形成している。そして、流体室５５１に旋回流発生部としての入口流路５５８が形成され、入口側の接続流路５０４との連通部には、流体溜り５５７が設けられている。入口流路５５８、流体溜り５５７及び内周側壁５５１ａの形状は、前述した実施形態１にて説明した入口流路５０３、内周側壁５０１ａ、流体溜り５０７の形状（図３、参照）に準ずる。
【０１０３】
旋回流発生板５５０は、金型を用いたプレス加工、エッチング加工、または放電加工等の加工手段により形成することが可能である。
【０１０４】
図５に示すように、旋回流発生板５５０は、ダイアフラム４００の上面に積層配設され、上ケース５００の封止面５０５の周縁面と下ケース３０１によって圧接されている。
【０１０５】
従って、上述した実施形態２によれば、旋回流発生部が旋回流発生板５５０にて形成されていることにより、入口流路５５８と内周側壁５５１ａと流体溜り５５７とを同じ加工工程で形成することができるので、相互の位置精度を高めることができる。
【０１０６】
また、旋回流発生板５５０は単体で、プレス加工、エッチング加工や放電加工等で形成でき、流路長、幅、厚さなど、所望のサイズ、形状の条件に合わせて製造方法を任意に選択することができる。
【０１０７】
さらに、複数種類の入口流路の断面積、流路長を有する旋回流発生板を用意しておけば、旋回流発生板を選択することで、所望の入口流路側のイナータンスを容易に得ることができるという効果がある。
（実施形態３）
【０１０８】
次に、本発明の実施形態３について図面を参照して説明する。実施形態３は、旋回流発生板とダイアフラムとが、積層され一体に密接固着されていることを特徴としている。旋回流発生部以外は、前述した実施形態２と同じ構造であるので説明を省略し、同じ機能部位には実施形態２と同じ符号を附して説明する。
図６は実施形態３に係る旋回流発生板５５０と接合されたダイアフラム４００を示す平面図、図７は図６のＡ−Ａ切断面を示す断面図である。
【０１０９】
図６，７において、旋回流発生板５５０は、ダイアフラム４００に密接固着され一体化されている。旋回流発生板５５０とダイアフラム４００とは、接着剤を用いる貼着、固層拡散接合、溶接等の固着手段を採用することが可能であるが、接合面において密着されていることがより好ましい。
【０１１０】
このような実施形態３によれば、旋回流発生板５５０は薄板にて形成され、入口流路５５８と流体室５５１の内周側壁５５１ａを形成する開口部とが設けられている。この開口部と入口流路５５８との接続部５５９には細い半島状の部位が形成される。流体室５５１内は高圧状態と真空状態を繰り返すため、先述した細い半島状の部位の構造的強度が不十分になることが考えられる。しかしダイアフラムと一体化することにより十分な構造的強度を得ることができる。また、組立時において取り扱いが容易になるという利点もある。
（実施形態４）
【０１１１】
続いて、本発明の実施形態４について図面を参照して説明する。実施形態４は、前述した実施形態２の構造に補強板をさらに設けたことを特徴としている。旋回流発生部に補強板を付加した構造以外は、前述した実施形態２と同じ構造であるので説明を省略し、同じ機能部位には実施形態２と同じ符号を附して説明する。
図８（ａ）は実施形態４に係る旋回流発生板５５０と補強板４１０が接合された状態を示す平面図、図８（ｂ）は、（ａ）のＢ−Ｂ切断面を示す断面図である。
【０１１２】
図８（ａ）、（ｂ）において、旋回流発生板５５０は前述した実施形態２，３と同様な形状、補強板４１０は前述した実施形態１と同様な形状を有しており、両者は積層され、接合面において接着剤による貼着、固層拡散接合、溶接等の固着手段にて一体に密接固着される。
なお、旋回流発生板５５０と補強板４１０とは、密接固着された状態で、脈動発生部１００内に組み込まれる。
【０１１３】
図９は、接合された旋回流発生板５５０と補強板４１０が脈動発生部１００に組み込まれた状態を示す部分断面図である。図９において、旋回流発生板５５０と補強板４１０とは一体化された状態で、ダイアフラム４００の上面に配設される。そして、上ケース５００の封止面５０５の周縁面と下ケース３０１によって圧接されている。
【０１１４】
なお、旋回流発生板５５０と補強板４１０とを板部材状態で接合した後、旋回流発生板５５０の入口流路５５８、流体溜り５５７、内周側壁５５１ａをハーフエッチング、補強板４１０の内周側壁４１０ａをエッチングにより形成してもよい。
【０１１５】
また、ダイアフラム４００と補強板４１０とを接合し、旋回流発生板５５０を単体にて組み込む構造としても、ダイアフラム４００、補強板４１０、旋回流発生板５５０の３枚を積層して密接固着する構造とすることもできる。
【０１１６】
従って、上述した実施形態４によれば、旋回流発生板５５０と補強板４１０とを一体に積層し密接固着することで、旋回流発生板５５０を補強できるとともに、組立時において取り扱いが容易になる。
【０１１７】
また、ダイアフラム４００と補強板４１０とを一体に積層固着する構造、ダイアフラム４００、補強板４１０、旋回流発生板５５０の３枚を積層して密接固着する構造としても、上述した発明の効果を奏することができる。
（実施形態５）
【０１１８】
続いて、本発明の実施形態５に係る脈動発生装置について図面を参照して説明する。実施形態５は、流体室と脈動発生部の外部とを貫通する管状部材によって入口流路が形成されていることに特徴を有しているので、入口流路の構造を中心に説明する。他の機能部位については、前述した実施形態１と同じ符号を附して説明する。
図１０は、実施形態５に係る脈動発生部１００を示す部分断面図（図１１のＣ−Ｃ切断面を表す）であり、図１１は、下ケース３０１側から視認した上ケース５００を表す平面図である。
【０１１９】
図１０，１１において、入口流路管５２０が流体室５０１に向かって上ケース５００に挿着されている。入口流路管５２０は金属製の管状部材からなり、上ケース５００の外部から流体室５０１まで貫通している。従って、入口流路管５２０に穿設された入口流路５２１は流体室５０１内に連通している。
【０１２０】
入口流路５２１は、前述した実施形態１において示した脈動発生部１００と入口側のイナータンスＬ１を同条件で構成するときには、断面積及び流路長を入口流路５０３（図３、参照）と同じに設定される。
【０１２１】
ここで、入口流路管５２０の挿着構造について説明を加える。入口流路管５２０が挿着される上ケース５００には、外周端部の一部をカットした入口流路管挿入孔案内部５１４が形成され、この入口流路管挿入孔案内部５１４の面から略垂直に流体室５０１に向かって、入口流路管挿着孔５１２，５１３が開設される。
【０１２２】
入口流路管５２０には、低融点銀蝋メッキが施されており、入口流路管挿着孔５１３に挿着した後、加熱して銀蝋によって溶着され、入口流路管５２０と上ケース５００とは、密着固着され、流体室５０１からの流体漏洩を防止している。また、入口流路管５２０の先端部は、流体室５０１に突出しないようにカットされる。
【０１２３】
入口流路管５２０の固着方法としては、接着剤を用いるもの、圧入によるもの等があるが、流体室５０１内部の圧力に耐えることができ、流体の漏洩が発生しない方法を選択する。
【０１２４】
流体室５０１は、上ケース５００の下ケース３０１との接合部に形成された凹部から構成され、略回転体形状をなしている。
【０１２５】
入口流路５０３は、図１１に示すように流体室５０１の内周側壁５０１ａに対して略接線方向に設けられる。従って、流体室５０１内において旋回流を発生させることができる。
【０１２６】
入口流路管５２０の外側方向端部には、ポンプ２０（図１、参照）に接続する接続チューブ２５が連結されている。接続チューブ２５の端部２５ａは、入口流路管挿着孔５１２の内部まで延在されており、端部２５ａと入口流路管挿着孔５１２との径方向の間隙を最小にしておくことで、入口流路管５２０を補強することができる。
【０１２７】
なお、図示は省略するが、入口流路管５２０の上ケース５００から外側に突出した部分を曲げておくことにより、接続チューブ２５の接続方向を任意に設定することが可能で、脈動発生部１００の操作性を向上させることができる。
【０１２８】
従って、上述した実施形態５によれば、入口流路５２１を入口流路管５２０で形成すれば、入口流路５２１の断面形状を円形にすることができ、流路内の抵抗要素を減ずることができる。
また、管状部材は断面積、長さの設定が容易で、予め複数種類の管状部材を用意しておけば、入口流路５２１側のイナータンスの設定にあわせて入口流路５２１の断面積や流路長の設定がし易いという効果がある。
【０１２９】
なお、本発明は前述の実施の形態に限定されるものではなく、本発明の目的を達成できる範囲での変形、改良等は本発明に含まれるものである。
【０１３０】
従って、前述した実施形態１〜実施形態５によれば、呼び水装置（呼び水動作）を必要とせず、駆動中に流体室内に気体が滞留することによる性能低下を排除し、逆止弁がない簡単な構造で高い信頼性を有する流体噴射装置を提供することができる。
【図面の簡単な説明】
【０１３１】
【図１】本発明の実施形態１に係る流体噴射装置の概略構成を示す説明図。
【図２】本発明の実施形態１に係る脈動発生部の構造を示す断面図。
【図３】本発明の実施形態１に係る入口流路の形態を示す平面図。
【図４】本発明の実施形態２に係る旋回流発生板を示す平面図。
【図５】本発明の実施形態２に係る旋回流発生板を組み込んだ脈動発生部の部分断面図。
【図６】本発明の実施形態３に係る旋回流発生板と接合されたダイアフラムを示す平面図。
【図７】図６のＡ−Ａ切断面を示す断面図。
【図８】本発明の実施形態４に係る旋回流発生板と補強板が接合された状態を示し、（ａ）は平面図、（ｂ）は断面図。
【図９】本発明の実施形態４に係る脈動発生部を示す部分断面図。
【図１０】本発明の実施形態５に係る脈動発生部を示す部分断面図。
【図１１】本発明の実施形態５に係る上ケースを下ケース側から視認した状態を示す平面図。
【符号の説明】
【０１３２】
１…流体噴射装置、２０…圧力発生部としてのポンプ、１００…脈動発生部、２００…接続流路管、２０１…接続流路、５０１…流体室、２１２…流体噴射開口部、５０３…入口流路、５１１…出口流路。
【図１】
2008082202.tif 000003
【図２】
2008082202.tif 000004
【図３】
2008082202.tif 000005
【図４】
2008082202.tif 000006
【図５】
2008082202.tif 000007
【図６】
2008082202.tif 000008
【図７】
2008082202.tif 000009
【図８】
2008082202.tif 000010
【図９】
2008082202.tif 000011
【図１０】
2008082202.tif 000012
【図１１】
2008082202.tif 000013